(57)【要約】【課題】人検知センサの取付部分の外観を良好にする。【解決手段】人検知センサ基板５０を嵌め込んだ人検知センサホルダ６０を表示器ケース３０の人検知センサ取付部３２に取り付けるとともに、前面パネル組２０の人検知センサ取付穴１３に外側から人検知センサ化粧枠７０を挿入して取り付ける。その人検知センサ化粧枠７０の位置決めリブ７４により、人検知センサホルダ６０の位置決めを行ことにより、人検知センサ化粧枠７０の開口の軸心が人検知センサ５１の軸心と一致するようにした。【選択図】図１
2015031416.tif 000002
【特許請求の範囲】
【請求項１】
電装品箱に一体的に形成された表示器ケース取付部に対して、受光部付き運転表示基板を組み込んだ表示器ケースを取り付けた空気調和機の室内機において、
前記表示器ケースに人検知センサ取付部を連続して一体的に形成し、該人検知センサ取付部に人検知センサを取り付け、該人検知センサが前面パネル組に形成された人検知センサ取付穴の中に配置されるようにしたことを特徴とする空気調和機の室内機。
【請求項２】
請求項１に記載の空気調和機の室内機において、
前記人検知センサは人検知センサ基板に取り付けられ、該人検知センサ基板が人検知センサホルダに嵌め込まれ、該人検知センサホルダが前記人検知センサ取付部に取り付けられていることを特徴とする空気調和機の室内機。
【請求項３】
請求項１又は２に記載の空気調和機の室内機において、
前記人検知センサ取付穴に開口を有する人検知センサ化粧枠が取り付けられ、前記人検知センサは該人検知センサ化粧枠の前記開口から突出していることを特徴とする空気調和機の室内機。
【発明の詳細な説明】
【技術分野】
【０００１】
本発明は、人検知センサを取り付けた空気調和機の室内機に関する。
【背景技術】
【０００２】
空気調和機の室内機では、人検知センサ（赤外線検知センサ）を室内機に取り付けて、その人検知センサにより人体が検知されると空調運転を開始し、検知されなくなると運転を停止するような制御が行われている（特許文献１）。これによれば、空気調和機の運転開始や運転停止のための特別な操作が一切不要となり、また人の居ない部屋で無駄な空調が行われることを防止できる。
【０００３】
特許文献１では、人検知センサを室内機に取り付ける際には、運転状態等を表示する発光素子やリモコン信号を受光する受光素子等とともに人検知センサを受光部付き運転表示基板に共通に取り付け、その受光部付き運転表示基板を表示ユニットに組み込んで、その表示ユニットを室内機の前面の収納部に取り付けている。
【先行技術文献】
【特許文献】
【０００４】
【特許文献１】特開２０００−２４１００９号公報
【発明の概要】
【発明が解決しようとする課題】
【０００５】
ところで、空気調和機の製造において製造コストを低減するためには、複数機種に亘って共通部品を使用することが望ましく、また一部構成を変更しながらも、共通の取り付け構造により取り付けることができる構成部材を使用することが望ましい。
【０００６】
しかし、特許文献１の構成では、人検知センサを使用しない機種と使用する機種を製造する場合、表示ユニットの受光部付き運転表示基板として、発光素子と受光素子の他に人検知センサを取り付けたものと、発光素子と受光素子のみを取り付けた２種類を製造する必要がある。つまり、共通の表示ユニット用の受光部付き運転表示基板を使用することができず、製造コストの低減を図りにくいという問題がある。
【０００７】
本発明の目的は、製造コストの低減を図った空気調和機の室内機を提供することである。
【課題を解決するための手段】
【０００８】
上記目的を達成するために、請求項１にかかる発明は、電装品箱に一体的に形成された表示器ケース取付部に対して、受光部付き運転表示基板を組み込んだ表示器ケースを取り付けた空気調和機の室内機において、前記表示器ケースに人検知センサ取付部を連続して一体的に形成し、該人検知センサ取付部に人検知センサを取り付け、該人検知センサが前面パネル組に形成された人検知センサ取付穴の中に配置されるようにしたことを特徴とする。
請求項２にかかる発明は、請求項１に記載の空気調和機の室内機において、前記人検知センサは人検知センサ基板に取り付けられ、該人検知センサ基板が人検知センサホルダに嵌め込まれ、該人検知センサホルダが前記人検知センサ取付部に取り付けられていることを特徴とする。
請求項３にかかる発明は、請求項１又は２に記載の空気調和機の室内機において、前記人検知センサ取付穴に開口を有する人検知センサ化粧枠が取り付けられ、前記人検知センサは該人検知センサ化粧枠の前記開口から突出していることを特徴とする。
【発明の効果】
【０００９】
本発明によれば、表示器ケースに人検知センサ取付部を連続して一体的に形成し、その表示ケースを電装品箱の表示器ケース取付部に取り付けるので、表示器ケースと表示器ケース取付部には別機種のものをそのまま使用することができる。つまり、電装品箱や表示器ケースに組み込む受光部付き運転表示基板を新たに設計製造する必要はなく、空気調和機の製造コストの低減を図ることができる。
【図面の簡単な説明】
【００１０】
【図１】本発明の空気調和機の室内機の一部の分解斜視図である。
【図２】人検知センサ基板と人検知センサホルダと人検知センサ化粧枠の斜視図である。
【図３】表示器ケースの人検知センサ取付部に人検知センサホルダを取り付ける説明の斜視図である。
【図４】表示器ケースの人検知センサ取付部に人検知センサホルダを取り付けた斜視図である。
【図５】表示器ケースを電装品箱の表示器ケース取付部に取り付ける説明の斜視図である。
【図６】表示器ケースを電装品箱の表示器ケース取付部に取り付けた斜視図である。
【図７】室外機の内部機構部分に前面パネル枠をかぶせた斜視図である。
【図８】室外機の内部機構部分に前面パネル枠をかぶせる前の斜視図である。
【発明を実施するための形態】
【００１１】
図１に本発明の第１の実施例の空気調和機の室内機の要部を示す。１０は前面パネル組であり、電源コード等の接続工事等の際に開かれるメンテナンス蓋１１が設けられ、また、光透過性の受光／表示部１２、四角形の人検知センサ取付穴１３、ディフューザ／風向板配置穴１４等が形成されている。受光／表示部１２と人検知センサ取付穴１３とディフューザ／風向板配置穴１４は、前面パネル組１０の正面の斜め下方向を向くように形成されている。
【００１２】
２０は電装品箱であり、電装品（図示せず）が収納される電装品箱本体２１、電源ケーブル引込穴２２、電源ケーブル引出穴２３、表示器ケース取付部２４等を有する。電源ケーブル引込穴２２から引き込まれ内部を挿通して電源ケーブル引出穴２３から引き出される電源ケーブルの先端は、電装品箱本体２１の端子台（図示せず）に接続される。そして、表示器ケース取付部２４には、上爪２４ａと下爪２４ｂが形成されている。
【００１３】
３０は表示器ケースであり、受光部付き運転表示基板取付部３１と人検知センサセンサ取付手段としての人検知センサ取付部３２が形成されている。そして、受光部付き運転表示基板取付部３１には、発光素子が露出する３個の開口３１ａと受光素子が露出する１個の開口３１ｂが横並びで形成され、さらに、上下に取付用の爪３１ｃ、３１ｄが形成されている。また、人検知センサ取付部３２には、両側に係合穴３２ａが形成され、中央に開口３２ｂが形成されている。
【００１４】
４０は表示器ケース３０の受光部付き運転表示基板取付部３１の内部（裏側）に組み込まれる受光部付き運転表示基板であり、３個の発光素子４１ａや１個の受光素子４１ｂ等の光学部品が横並びで取り付けられ、また、コネクタ４２，４３が両端に取り付けられたコード４４の一方のコネクタ４２が取り付けられている。
【００１５】
５０は表示器ケース３０の人検知センサ取付部３２に収納される人検知センサ基板であり、正面中心位置に丸形状の人検知センサ５１が取り付けられ、また、コネクタ５２，５３が両端に取り付けられたコード５４の一方のコネクタ５２が取り付けられている。
【００１６】
６０は底面の中心に丸い開口６１が形成された四角筒形の人検知センサホルダであり、前記した人検知センサ基板５０が内部に嵌め込まれることにより、開口６１から人検知センサ５１が突出するようになっている。
【００１７】
７０は中心に丸い開口７１が形成された人検知センサ化粧枠であり、前面パネル組１０の人検知センサ取付穴１３の外側から差し込まれることにより、人検知センサ取付穴１３の周囲を閉じる作用を行う。
【００１８】
図２に人検知センサ基板５０と人検知センサホルダ６０と人検知センサ化粧枠７０の詳細を示す。人検知センサホルダ６０には、開口６１の内側底面の四隅に人検知センサ基板５０の４個の角が当接するストッパ６２が形成されている。また、人検知センサホルダ６０の外側の１８０度離れた両側の２箇所には、表示器ケース３０の人検知センサ取付部３２の係合穴３２ａに係合する爪６３が形成されている。
【００１９】
人検知センサ化粧枠７０には、人検知センサ５１の頭部が突出する開口７１の他に、前面パネル組１０の人検知センサ取付穴１３の周縁に外側から当接する四角形の周鍔（フランジ）７２と、その周鍔７２の内側の１８０度離れた両側の２箇所に周鍔７２から若干の間隔（前面パネル組１０の人検知センサ取付穴１３の周縁の肉厚より若干広い間隔）をおいて設けられた爪７３と、人検知センサホルダ６０の外周の４面に外側から圧接するために周鍔７２と反対側の奥方向に伸びるように形成された４個の位置決リブ７４と、が設けられている。
【００２０】
次に組み立てについて説明する。まず、人検知センサホルダ６０の内部に、人検知センサ５１が開口６１から突出するように、人検知センサ基板５０を嵌め込み、その人検知センサ基板５０の４個の角を人検知センサホルダ６０のストッパ６２に押し当てる。これにより、人検知センサホルダ６０内に人検知センサ基板５０が収納され、図３に示すような状態となり、人検知センサ５１の軸心が人検知センサホルダ６０の軸心と一致するようになる。
【００２１】
次に、このように内部に人検知センサ基板５０が収納された人検知センサホルダ６０を、表示器ケース３０の人検知センサ取付部３２内に、人検知センサ取付部３２の前方から、図４に示すように嵌め込む。このときは、人検知センサ基板５０から引き出されるコード５４を、表示器ケース３０の人検知センサ取付部３２の開口３２ｂから背後に引き出しておき、人検知センサホルダ６０の両側の爪６３を人検知センサ取付部３２の両側の係合穴３２ａに係合させる。これにより、人検知センサ取付部３２に対して人検知センサホルダ６０が図４に示すように組み立てられる。このとき、人検知センサ基板５０の人検知センサ５１の取付面（正面）は、その４個の角が人検知センサホルダ６０のストッパ６２に押し当てられ、人検知センサ基板５０の裏面は、人検知センサ取付部３２の開口３２ｂの周囲の縁に押し当てられるので、ガタツキが発生することはない。
【００２２】
次に、人検知センサ基板５０と人検知センサホルダ６０が表示器ケース３０の人検知センサ取付部３２に組み込まれた後に、表示器ケース３０の受光部付き運転表示基板取付部３１の裏側に、受光部付き運転表示基板４０を嵌め込み、発光素子４１ａが開口３１ａから露出し、受光素子４１ｂが開口３１ｂから露出するようにする。
【００２３】
次に、受光部付き運転表示基板４０と人検知センサ基板５０と人検知センサホルダ６０が組み込まれた表示器ケース３０を、電装品箱２０の表示器ケース取付部２４に取り付ける。このときは、図５に示すように、表示器ケース３０の受光部付き運転表示基板取付部３１の人検知センサ取付部３２の爪３１ｄを電装品箱２０の表示器ケース取付部２４の上爪２４ａに当接させ、人検知センサ取付部３２の爪３１ｃを下爪２４ｂに嵌め込む。これにより、図６に示すように、人検知センサホルダ６０が電装品箱２０に組み込まれる。本実施例では、このように人検知センサホルダ６０を本体１２０（図８参照）の一部である電装品箱２０に組み込んでいるが、本体１２０は室内機を構成する部分の内の前面パネル組１０を除く部分であり、電装品箱２０以外の本体１２０に対して検知センサホルダ６０を組み込んでも良い。
【００２４】
次に、前面パネル組１０の人検知センサ取付穴１３の表側から内側に向けて、人検知センサ化粧枠７０を、位置決めリブ７４を先頭にして押し込む。これによって、人検知センサ化粧枠７０の爪７３が人検知センサ取付穴１３の周縁により押されて若干内側に撓んで逃げ、さらに押し込むと、その爪７３が人検知センサ１３の内縁から外れる。この結果、人検知センサ化粧枠７０の周鍔７２と爪７３の間に人検知センサ取付穴１３の周縁部が遊びをもって挟持される状態となる。よって、人検知センサ化粧枠７０は上下左右前後方向に若干の遊びを有して、人検知センサ取付穴１３の周縁部に取り付けられる。
【００２５】
次に、人検知センサ化粧枠７０が取り付けられた前面パネル組２０の全体を、電装品箱２０、熱交換器、配管、その他が組み込まれた部分に上面からかぶせると、人検知センサ５１は人検知センサ化粧枠７０の開口７１から外部に突出する。このとき、人検知センサ化粧枠７０と人検知センサホルダ６０は図２に示す向きで互いに合わせられるので、人検知センサ化粧枠７０の４個の位置決めリブ７４が人検知センサホルダ６０の周囲の４面に当接され、人検知センサ化粧枠７０が、その開口７１の軸心が人検知センサ５１の軸心と一致するように位置決めされる。よって、開口７１における人検知センサ５１の周囲の隙間（図示せず）が均一になり、外観が良好となる。そして、図７に示すように、人検知センサ５１の周囲は人検知センサ化粧枠７０によって飾られる。なお、表示器ケース３０の受光部付き運転表示基板取付部３１の開口３１ａに露出する発光素子４１ａ、開口３１ｂから露出する受光素子４１ｂは、前面パネル組１０の光透過性の受光／表示部１２の裏面に位置する。
【００２６】
図８に前面パネル組１０をかぶせる直前の機構を示した。８０は風向板用モータ、９０はディフューザ用モータ、１００は風向板、１１０はディフューザである。このように、表示器ケース３０の人検知センサ取付部３２は、モータ８０の右隣の空きスペースに配置されることになる。なお、人検知センサ５１を設けない機種の室内機では、人検知センサ取付部３２が形成されていない表示器ケース３０が取り付けられる。よって、人検知センサ５１を取り付けない室内機では、前面パネル組１０に人検知センサ取付穴１３を設けなければよい。
【００２７】
このように、本実施例の室内機は、表示器ケース３０の受光部付き運転表示基板取付部３１に連続して人検知センサ取付部３２を一体的に設けたものである。人検知センサを取り付けない室内機の構成に対する変更点は、人検知センサ取付部３２を設けた表示器ケース３０を新たに製作することと、前面パネル組１０に人検知センサ取付穴１３を新たに設ければよいことのみである。よって、本実施例では、人検知センサを取り付けない室内機の構成（受光部付き運転表示基板４０や表示器ケース取付部２４）を有効利用することができ、製造コストの低減を図ることができる。
【００２８】
また、人検知センサ化粧枠７０の位置決めリブ７４によって、人検知センサ化粧枠７０の開口７１の軸心が、人検知センサホルダ６０の前面に突出する人検知センサ５１の軸心と一致するように位置決めされるので、人検知センサ化粧枠７０の開口７１内に位置する人検知センサ５１の周囲の隙間は均一となり、人検知センサの取付部分の外観が良好となる。
【符号の説明】
【００２９】
１０：前面パネル組、１１：メンテナンス蓋、１２：受光／表示部、１３：人検知センサ取付穴、１４：風向板／ディヒューザ配置穴
２０：電装品箱、２１：電装品箱本体、２２：ケーブル差込穴、２３：ケーブル引出穴、２４：表示器ケース取付部、２４ａ：上爪、２４ｂ：下爪
３０：表示器ケース、３１：受光部付き運転表示基板取付部、３１ａ、３１ｂ：開口、３１ｃ，３１ｄ：爪、３２：人検知センサ取付部、３２ａ：係合穴、３２ｂ：開口
４０：受光部付き運転表示基板、４１ａ：発光素子、４１ｂ：受光素子、４２，４３：コネクタ、４４：コード
５０：人検知センサ基板、５１：人検知センサ、５２，５３：コネクタ、５４：コード
６０：人検知センサホルダ、６１：開口、６２：ストッパ、６３：爪
７０：人検知センサ化粧枠、７１：開口、７２：周鍔、７３：爪、７４：位置決めリブ
８０：風向板用モータ
９０：ディフューザ用モータ
１００：風向板
１１０：ディフューザ
１２０：本体
【図１】
2015031416.tif 000003
【図２】
2015031416.tif 000004
【図３】
2015031416.tif 000005
【図４】
2015031416.tif 000006
【図５】
2015031416.tif 000007
【図６】
2015031416.tif 000008
【図７】
2015031416.tif 000009
【図８】
2015031416.tif 000010